(57)【要約】【課題】暗所や夜間における手摺の視認性の向上が可能でありながらも、出射光が直接的に眼に入るようなことを抑制し、かつ見栄えを向上し得る手摺装置を提供する。【解決手段】手摺装置１は、壁面２との間に間隔を空けて配設される手摺部１０と、該手摺部の両側端部から前記壁面に向けて突出するように設けられ、突出方向先端側が前記壁面に固定される一対の支持部１１，１５と、これら一対の支持部のうちの一方側の支持部１１の内側面１１ａ側において露出するように、かつ前記壁面側を照らすように設けられた発光部１３と、を備えている。【選択図】図１
2014051808.tif 000002
【特許請求の範囲】
【請求項１】
壁面との間に間隔を空けて配設される手摺部と、
該手摺部の両側端部から前記壁面に向けて突出するように設けられ、突出方向先端側が前記壁面に固定される一対の支持部と、
これら一対の支持部のうちの一方側の支持部の内側面側において露出するように、かつ前記壁面側を照らすように設けられた発光部と、
を備えていることを特徴とする手摺装置。
【請求項２】
請求項１において、
前記一方側の支持部は、前記壁面側に向かうに従い他方側の支持部から離間する方向に傾斜する形状とされていることを特徴とする手摺装置。
【請求項３】
請求項２において、
前記発光部は、前記一方側の支持部の内側面から突出するように設けられており、該一方側の支持部の内側面には、該発光部の周囲を囲う隔壁部が設けられていることを特徴とする手摺装置。
【請求項４】
請求項３において、
前記隔壁部は、前記一方側の支持部と前記手摺部との入隅部よりも他方側の支持部側に突出しないように設けられていることを特徴とする手摺装置。
【請求項５】
請求項１乃至４のいずれか１項において、
前記一方側の支持部を上方側とし、前記手摺部の長手方向を上下方向に沿わせて配設されることを特徴とする手摺装置。
【発明の詳細な説明】
【技術分野】
【０００１】
本発明は、壁面に固定される照明機能を有した手摺装置に関する。
【背景技術】
【０００２】
従来より、玄関や浴室、便所、寝室、廊下等の壁面に設置される照明機能付きの手摺が提案されている。
例えば、手すり本体等の内部に複数のＬＥＤを設け、手すり本体の両端部のエンドブラケットの外周面や、手すり本体の外周面から発光させる構成とした照明手摺りが提案されている（例えば、下記特許文献１及び下記特許文献２参照）。
【先行技術文献】
【特許文献】
【０００３】
【特許文献１】特開２００５−９０９３号公報
【特許文献２】特開２００５−１８８０３０号公報
【発明の概要】
【発明が解決しようとする課題】
【０００４】
しかしながら、上記各特許文献に記載された照明手摺りでは、手すり本体の両端部のエンドブラケットの外周面や、手すり本体の外周面から光が出射されるため、出射された光が直接的に眼に入り易いという問題があった。また、手すり本体の両端部のエンドブラケットの外周面や、手すり本体の外周面に透光部を設ける必要があるため、見栄えが悪くなるという問題があった。
【０００５】
本発明は、上記実情に鑑みてなされたものであり、暗所や夜間における手摺の視認性の向上が可能でありながらも、出射光が直接的に眼に入るようなことを抑制し、かつ見栄えを向上し得る手摺装置を提供することを目的としている。
【課題を解決するための手段】
【０００６】
上記目的を達成するために、本発明に係る手摺装置は、壁面との間に間隔を空けて配設される手摺部と、該手摺部の両側端部から前記壁面に向けて突出するように設けられ、突出方向先端側が前記壁面に固定される一対の支持部と、これら一対の支持部のうちの一方側の支持部の内側面側において露出するように、かつ前記壁面側を照らすように設けられた発光部と、を備えていることを特徴とする。
【０００７】
本発明においては、前記一方側の支持部を、前記壁面側に向かうに従い他方側の支持部から離間する方向に傾斜する形状としてもよい。
また、本発明においては、前記発光部を、前記一方側の支持部の内側面から突出するように設け、該一方側の支持部の内側面に、該発光部の周囲を囲う隔壁部を設けるようにしてもよい。
また、本発明においては、前記隔壁部を、前記一方側の支持部と前記手摺部との入隅部よりも他方側の支持部側に突出しないように設けるようにしてもよい。
また、本発明においては、前記一方側の支持部を上方側とし、前記手摺部の長手方向を上下方向に沿わせて配設されるものとしてもよい。
【発明の効果】
【０００８】
本発明に係る手摺装置は、上述のような構成としたことで、暗所や夜間における手摺の視認性の向上が可能でありながらも、出射光が直接的に眼に入るようなことを抑制することができ、また、見栄えを向上させることができる。
【図面の簡単な説明】
【０００９】
【図１】本発明の一実施形態に係る手摺装置の一例を模式的に示す概略側面図である。
【図２】同手摺装置を模式的に示す概略斜視図である。
【図３】同手摺装置を模式的に示す一部省略概略分解斜視図である。
【発明を実施するための形態】
【００１０】
以下に本発明の実施の形態について、図面に基づいて説明する。
図１〜図３は、本実施形態に係る手摺装置の一例を模式的に示す図である。
なお、以下の実施形態では、手摺装置を壁面に固定した状態を基準として、上下方向等の方向を原則的に説明する。
【００１１】
本実施形態に係る手摺装置１は、図１に示すように、住居等の建物の壁面２との間に間隔を空けて配設される手摺部１０と、この手摺部１０の両側端部から壁面２に向けて突出するように設けられた一対の支持部１１，１５と、を備えている。これら一対の支持部１１，１５の突出方向先端側が壁面２に固定され、当該手摺装置１が壁面２に固定される構成とされている。また、本実施形態では、手摺装置１に、これら一対の支持部１１，１５の突出方向先端部（壁面２側の端部）同士を連結し、壁面２に固定される固定部１６を設け、この固定部１６が壁面２に固定される構成としている。
また、手摺装置１は、これら一対の支持部１１，１５のうちの一方側の支持部１１の内側面１１ａ側において露出するように、かつ壁面２側を照らすように設けられた発光部１３を備えている。
この手摺装置１が固定される壁面２としては、例えば、玄関や浴室、便所、寝室、廊下、階段等の壁面２としてもよい。
【００１２】
手摺部１０は、本実施形態では、長手方向を歩行方向に沿わせるように配設される長尺の手摺と比べて、長さ寸法が短く、その長手方向を上下方向に沿わせて配設される構成とさている。つまり、本実施形態に係る手摺装置１は、Ｉ型（縦型）のアシスト（補助）バー型とされている。
この手摺部１０の長さ寸法は、当該手摺装置１の設置箇所や、設置態様、握り易さ等の観点から適宜、設定するようにしてもよい。本実施形態のように、長手方向を上下方向に沿わせて配設されるものとした場合には、手摺部１０の長さ寸法を、１００ｍｍ〜６００ｍｍ程度としてもよい。
【００１３】
また、この手摺部１０の外周形状や寸法は、握り易さ等の観点から適宜、設定するようにしてもよい。本実施形態では、図１〜図３に示すように、手摺部１０の横断面（長手方向に直交する断面）の外郭形状を、壁面２に対して直交方向に沿う辺を短辺とした略長方形状とし、その四隅の角部をそれぞれＲ面取り状の凸湾曲面形状としている。この手摺部１０の横断面形状における長辺の寸法（手摺部１０の幅寸法（長手方向及び壁面直交方向に直交する方向に沿う寸法））は、例えば、２０ｍｍ〜８０ｍｍ程度としてもよく、好ましくは、４０ｍｍ〜６０ｍｍ程度としてもよい。なお、このような態様に代えて、手摺部１０の横断面（長手方向に直交する断面）の外郭形状を、略正方形状や、略真円形状、略楕円形状等としてもよい。
【００１４】
一対の支持部１１，１５は、本実施形態では、手摺部１０の長手方向両側端部のそれぞれに連なるように、手摺部１０に一体的に形成されている。これら支持部１１，１５は、手摺部１０と概ね同様、横断面（長手方向に直交する断面）の外郭形状が略長方形状とされている。また、これら支持部１１，１５の壁面２側への突出寸法は、当該手摺装置１が壁面２に固定された状態で、手摺部１０が握り易く、また、邪魔になり難い位置となるように適宜、設定するようにしてもよい。例えば、手摺部１０を壁面２から大きく突出させることなく手摺部１０を握った際に壁面２（本実施形態では、固定部１６）に手指が当り難くなるように、壁面２（本実施形態では、固定部１６）と手摺部１０との間に手指等が挿入し易い所定の間隙が形成されるように一対の支持部１１，１５を形成するようにしてもよい。この所定の間隙としては、上記したような種々の観点から、例えば、２０ｍｍ〜１００ｍｍ程度としてもよく、好ましくは、４０ｍｍ〜８０ｍｍ程度としてもよい。
【００１５】
また、本実施形態では、これら一対の支持部１１，１５のうちの一方側の支持部１１を上方側に配設される上側支持部１１とし、他方側の支持部１５を下側支持部１５としている。
また、上側支持部１１を、壁面２側に向かうに従い下側支持部１５から離間する方向に傾斜する形状としている。つまり、上側支持部１１を、手摺部１０の上端部から壁面２側に向かうに従い上方に登るように傾斜する形状としている。このような構成により、上側支持部１１の内側面１１ａは、斜め下方壁面２（本実施形態では、固定部１６）側に向く構成とされている。
一方、下側支持部１５を、その長手方向を壁面２に対して直交方向に沿う方向に沿わせた略水平形状としている。なお、この下側支持部１５を、壁面２側に向かうに従い上側支持部１１から離間する方向に傾斜する形状、つまり、手摺部１０の下端部から壁面２側に向かうに従い下方に降るように傾斜する形状としてもよい。
【００１６】
なお、上側支持部１１の内側面１１ａの手摺部１０の内側面（壁面２側に向く面）に対する傾斜角度（上側支持部１１の内側面１１ａと手摺部１０の内側面とのなす角度）は、上側支持部１１の長さを短くしながらも壁面２側を効果的に照らせるよう適宜、設定するようにしてもよい。例えば、この傾斜角度を、１００度〜１４０度程度としてもよく、図例では、略１２０度としている。この傾斜角度が余りにも小さければ、壁面２側を効果的に照らし難くなる傾向がある。一方、上記傾斜角度が余りにも大きければ、上側支持部１１の長さ寸法が大きくなる傾向がある。
【００１７】
発光部１３は、上側支持部１１の長手方向途中部位の内側面１１ａ側において露出するように設けられている。図例では、上側支持部１１の長手方向中央部位よりも壁面２（固定部１６）側に寄った位置に発光部１３を設けた例を示している。また、本実施形態では、発光部１３を、上側支持部１１の幅方向略中央部位に設けている。
また、本実施形態では、図１及び図２に示すように、発光部１３を、上側支持部１１の内側面１１ａから突出するように設けている。この発光部１３の光源としては、小型電球や、発光素子としてのＬＥＤ（発光ダイオード）等としてもよい。本実施形態では、発光部１３の光源を、点光源状とし、発光素子（ＬＥＤ素子）を樹脂等で封止した砲弾型の光源としている。
この発光部１３は、当該発光部１３からの出射方向（出射光の光軸）が、手摺部１０側や直下（下側支持部１５）側ではなく、壁面２（固定部１６）側に指向するように設けられている。図例では、この発光部１３の光軸が、上記のように斜め下方壁面２側に向くように構成された上側支持部１１の内側面１１ａに対して略直交方向となるように、上側支持部１１に発光部１３を設けた例を示している。
【００１８】
なお、発光部１３としては、光源自体を発光部とせずに、光源の出射方向先側に透光性カバー等を設け、この透光性カバー等を発光部として把握するようにしてもよい。この場合、透光性カバーに、更に壁面２側を照射可能とするように配光パターンを形成するようにしてもよい。
また、この発光部１３の光源等への給電用の電源コードなどの接続は、例えば、上側支持部１１を突出方向先端側に開口する中空筒形状とし、壁面２の壁体内を配線され、壁面２から導出された電源コードなどを、その中空内を配線し、接続するようにしてもよい。
【００１９】
また、この発光部１３の光源のＯＮ／ＯＦＦや調光等をするための操作部等を、当該手摺装置１の適所に設けるようにしてもよく、または、当該手摺装置１とは離間させて設けるようにしてもよい。また、このような操作部等を設ける態様に代えて、または加えて、当該手摺装置１の周囲の照度を検出する照度センサーを適所に設け、所定の照度を下回れば点灯させる一方、所定の照度を上回れば消灯させる制御を実行する制御部等を設けるようにしてもよい。また、このような照度センサーに加えて、当該手摺装置１の周囲の人体の在、不在を検出する人感センサーを適所に設けるようにしてもよい。この場合、所定の照度を下回り、かつ人体を検知すれば点灯させ、不在検知後、直ちにまたは所定時間経過後に消灯させる制御を実行する制御部等を設けるようにしてもよい。
【００２０】
また、本実施形態では、図１及び図２に示すように、上側支持部１１の内側面１１ａに、発光部１３の周囲を囲う隔壁部１２を設けている。この隔壁部１２は、上側支持部１１の内側面１１ａに対して直交する方向に突出するように設けられている。また、本実施形態では、この隔壁部１２を、上側支持部１１と手摺部１０との入隅部１４よりも下側支持部１５側に突出しないように設けている。つまり、図１に示すように、隔壁部１２の下端（下側支持部１５側端）が上側支持部１１と手摺部１０とが交差する入隅部１４よりも上方（反下側支持部１５側）に位置するように隔壁部１２を設けている。
また、図例では、この隔壁部１２の外郭形状を、扁平な略円柱形状としている。
また、本実施形態では、この隔壁部１２の内側中心部（略円心部）に、点光源状の発光部１３を設け、この隔壁部１２の内周面１２ａを、その中心の発光部１３から離れるに従い拡開するすり鉢形状としている。
【００２１】
固定部１６は、上下の支持部１１，１５の突出方向先端部（壁面２側の端部）のそれぞれに連なるように、これらに一体的に形成されている。また、固定部１６は、手摺部１０との間に上記所定の間隙を隔てて手摺部１０に対して略平行に形成されている。
また、この固定部１６の幅寸法（長手方向及び壁面直交方向に直交する方向に沿う寸法）は、上記した手摺部１０の幅寸法と略同寸法または手摺部１０の幅寸法よりも小さい寸法とされている。このような構成とすることで、固定部１６を目立ち難くすることができる。
【００２２】
また、本実施形態では、図１及び図３に示すように、固定部１６に、当該固定部１６を壁面２に固定するねじや釘等の止具３が挿通される止具挿通孔１８を設けている。図例では、固定部１６の幅方向両側のそれぞれにおいて、固定部１６の長手方向（上下方向）に沿って間隔を空けて複数の止具挿通孔１８を設けた例を示している。これら止具挿通孔１８は、壁面２に概ね直交する方向（固定部１６の厚さ方向）に貫通するように固定部１６に設けられている。
また、本実施形態では、固定部１６の横断面（長手方向に直交する断面）の外郭形状を、手摺部１０と概ね同様、壁面２に対して直交方向に沿う辺を短辺とした略長方形状としている。また、固定部１０の手摺部１０側の幅方向両側に、両角部を切り欠くように、手摺部１０側及び幅方向外方側に開口した凹所１７，１７をそれぞれに設けている。これら凹所１７，１７の底面（手摺部１０側に向く面）において開口するように、各止具挿通孔１８を設けている。
【００２３】
また、本実施形態では、これら凹所１７，１７の底面を、固定部１６の幅方向中心側から幅方向外方側に向かうに従い壁面２側に傾斜する傾斜面としている（図１及び図３参照）。これら凹所１７，１７の底面において開口するように設けられた各止具挿通孔１８は、底面に対して直交方向に見た状態で、手摺部１０によって遮蔽されずに視認可能なように設けられており、底面に対して直交方向に貫通するように設けられている。このような構成とすることで、止具３を操作する治具等が手摺部１０に干渉し難くなり、止具３を捩じ込む（または打ち込む）際における作業性を向上させることができる。
【００２４】
また、本実施形態では、手摺装置１は、これら凹所１７，１７をそれぞれに覆うカバー１９，１９を備えている。このようなカバー１９，１９を備えた構成とすることで、止具３が露出せず、見栄えを向上させることができる。
また、これらカバー１９，１９は、図１及び図２に示すように、固定部１６に取り付けられた状態で、固定部１６の凹所１７，１７が設けられていない部位の手摺部１０側に向く面及び幅方向外方側面と略面一状となるように形成されている。なお、これらカバー１９，１９の固定部１６への取付態様としては、接着剤等によって取り付けるようにしてもよい。または、固定部１６の凹所１７，１７及びカバー１９，１９のそれぞれに互いに係止する係止部等を設け、互いの係止部を係止させて取り付ける態様としてもよく、その他、種々の取付態様の採用が可能である。
【００２５】
なお、これらカバー１９，１９、並びに上記のように一体的に形成された手摺部１０、上下の支持部１１，１５及び固定部１６は、金属系材料や硬質の合成樹脂系材料から形成されたものとしてもよい。
また、当該手摺装置１を壁面２に固定する固定部１６としては、上記したように、上下の支持部１１，１５を連結するように形成された固定部１６に限られず、種々の態様とされた固定部１６の採用が可能である。例えば、上下の支持部１１，１５のそれぞれの突出方向先端部に一体的または別体的に固定部を設けるようにしてもよい。この場合、上下の支持部１１，１５のそれぞれの突出方向先端部に、フランジ状部を設け、このフランジ状部に止具挿通孔を設けた態様としてもよい。
【００２６】
本実施形態に係る手摺装置１は、上述のような構成としたことで、暗所や夜間における手摺の視認性の向上が可能でありながらも、出射光が直接的に眼に入るようなことを抑制することができ、また、見栄えを向上させることができる。
つまり、壁面２との間に間隔を空けて配設される手摺部１０の一方側の端部から壁面２に向けて突出するように設けられた支持部（上側支持部）１１の内側面１１ａ側において露出するように、かつ壁面２側を照らすように発光部１３を設けている。従って、発光部１３から壁面２側に出射された光によって間接照明的に手摺部１０を照らすことができ、暗所や夜間における手摺の視認性を向上させることができる。また、発光部１３からの出射光が直接的に眼に入るようなことを抑制することができる。また、発光部１３を目立ち難くすることができ、見栄えを向上させることができる。また、例えば、手摺部１０の壁面２側に向く面側において露出するように発光部を設けた場合と比べて、手指等で覆われ難く、効果的に壁面２側を照らすことができる。
【００２７】
また、本実施形態では、手摺部１０、一対の支持部１１，１５及び固定部１６を、一体的に形成しているので、当該手摺装置１の取扱性及び当該手摺装置１を壁面２に固定する際の作業性を向上させることができる。
また、本実施形態では、一方側の支持部（上側支持部）１１を、壁面２側に向かうに従い他方側の支持部（下側支持部）１５から離間する方向に傾斜する形状としている。従って、発光部１３が設けられる一方側の支持部（上側支持部）１１の内側面１１ａが、壁面２側に向く傾斜面となる。これにより、この内側面１１ａにおいて露出するように設けられた発光部１３によって壁面２側をより効果的に照らすことができる。また、発光部１３からの出射光が直接的に眼に入るようなことをより抑制することができ、また、発光部１３をより目立ち難くすることができる。
【００２８】
また、本実施形態では、発光部１３を、一方側の支持部（上側支持部）１１の内側面１１ａから突出するように設けているので、例えば、埋め込むように設けた場合と比べて、一方側の支持部（上側支持部）１１の強度を向上させることができる。また、一方側の支持部（上側支持部）１１の内側面１１ａに、発光部１３の周囲を囲う隔壁部１２を設けているので、発光部１３自体を直接的に視認し難くなり、その出射光が直接的に眼に入るようなことをより効果的に抑制することができる。また、発光部１３を保護することもできる。
また、このような隔壁部１２を設けた場合にも、上記のように一方側の支持部（上側支持部）１１を傾斜形状としているので、手摺部１０を握った際に手指等が隔壁部１２に干渉するようなことを抑制することができる。
【００２９】
また、本実施形態では、隔壁部１２の内側中心部に点光源的に発光部１３を設け、隔壁部１２の内周面１２ａを発光部１３から離れるに従い拡開するすり鉢状としている。従って、発光部１３からの光を効果的に拡散させ、壁面２側を広範囲に照らすことができる。
また、本実施形態では、隔壁部１２を、一方側の支持部（上側支持部）１１と手摺部１０との入隅部１４よりも他方側の支持部（下側支持部）１５側に突出しないように設けている。従って、手摺部１０を握った際に手指等が隔壁部１２に干渉するようなことをより効果的に抑制することができる。
【００３０】
また、本実施形態では、手摺装置１を、一方側の支持部１１を上方側とし、手摺部１０の長手方向を上下方向に沿わせて配設される、いわゆるＩ型（縦型）手摺としている。従って、例えば、手摺部１０の長手方向を水平方向や斜め方向に沿わせて配設される手摺や、発光部１３を設けた支持部を下方側とし、手摺部１０の長手方向を上下方向に沿わせて配設される手摺とした場合と比べて、発光部１３を目立ち難くすることができる。また、発光部１３からの出射光が直接的に眼に入るようなことをより効果的に抑制することができる。
【００３１】
なお、本実施形態では、手摺装置１を、発光部１３を設けた一方側の支持部１１を上方側とし、手摺部１０の長手方向を上下方向に沿わせて配設されるものとした例を示しているが、このような態様に限られない。例えば、当該手摺装置１を、発光部１３を設けた一方側の支持部１１を下方側とし、手摺部１０の長手方向を上下方向に沿わせて配設されるものとしたり、手摺部１０の長手方向を水平方向や斜め方向に沿わせて配設されるものとしたりしてもよい。
また、本実施形態では、当該手摺装置１の手摺部１０、一対の支持部１１，１５及び固定部１６を一体的に形成した例を示しているが、このような態様に限られない。例えば、手摺部１０と、一対の支持部１１，１５の両方または一方と、を別体的に形成し、組み付けられるものとしてもよい。
【００３２】
また、本実施形態では、点光源状の単一の光源からなる発光部１３を一方側の支持部１１に設けた例を示しているが、このような態様に限られず、例えば、複数の光源からなる発光部１３を一方側の支持部１１に設けるようにしてもよい。
また、本実施形態では、発光部１３を、一方側の支持部１１の内側面１１ａから突出するように設け、この発光部１３の周囲を囲う隔壁部１２を内側面１１ａに設けた例を示しているが、このような態様に限られない。例えば、このような隔壁部１２を設けないようにしてもよく、また、発光部１３を、一方側の支持部１１に埋め込むように設けた態様としてもよい。
【００３３】
また、本実施形態では、発光部１３を設けた一方側の支持部１１を、壁面２側に向かうに従い他方側の支持部１５から離間する方向に傾斜する形状とした例を示しているが、このような態様に限られない。例えば、発光部１３を設けた一方側の支持部１１を、その長手方向を壁面２に対して直交方向に沿う方向に沿わせた略水平形状としてもよい。この場合は、発光部１３からの出射光が壁面２側に指向するように、一方側の支持部１１の内側面１１ａに対して斜め状に発光部１３を設けたり、発光部１３からの出射光を壁面２側に向けて反射する反射部等を適所に設けたりするようにしてもよい。
また、本実施形態では、一方側の支持部１１のみに発光部１３を設けた例を示しているが、他方側の支持部１５にもその内側面側において露出するように、かつ壁面２側を照らすように、上記と略同様の発光部を設けるようにしてもよい。
【符号の説明】
【００３４】
１        手摺装置
１０      手摺部
１１      上側支持部（一方側の支持部）
１１ａ    内側面
１２      隔壁部
１３      発光部
１４      入隅部
１５      下側支持部（他方側の支持部）
２        壁面
【図１】
2014051808.tif 000003
【図２】
2014051808.tif 000004
【図３】
2014051808.tif 000005